(57)【要約】【課題】投資家に対して株の売買についての十分な情報を迅速且つ確実に与える。【解決手段】本発明は、グラフィカルユーザーインターフェースによる株価チャート表示システムであって、株の価格軸と時刻軸とにより表現される株価チャートを表示するための株価チャート表示手段と、売買が成立した注文を第１図形によって前記株価チャート上に表示するための第１図形表示手段と、売買が未成立の注文を前記第１図形とは異なる形状の第２図形によって前記株価チャート上に表示するための第２図形表示手段とを備えていることを特徴とする。【選択図】図７
2010020360.tif 000002
【特許請求の範囲】
【請求項１】
グラフィカルユーザーインターフェースによる株価チャート表示システムであって、
株の価格軸と時刻軸とにより表現される株価チャートを表示させるための株価チャート表示手段と、
売買が成立した注文を第１図形によって前記株価チャート上に表示させるための第１図形表示手段と、
売買が未成立の注文を前記第１図形とは異なる形状の第２図形によって前記株価チャート上に表示させるための第２図形表示手段と、
を備えていることを特徴とする株価チャート表示システム。
【請求項２】
前記第１図形表示手段は、株の売買時刻及び売買価格により前記第１図形の位置を決定し、株の売買成立の量に応じて前記第１図形のサイズを決定し、株の売買形式により前記第１図形の色を決定し、
前記第２図形表示手段は、株の注文価格により前記第２図形の前記価格軸に沿った位置を決定し、株の注文受付時刻から売買が未成立のままキャンセルされずに有効に存在している時間により前記第２図形の前記時刻軸に沿った長さを決定し、株の注文形式により前記第２図形の色を決定し、株の注文量により前記第２図形の透明度を決定する請求項１に記載の株価チャート表示システム。
【請求項３】
グラフィカルユーザーインターフェースによる株価チャート表示プログラムであって、
株の価格軸と時刻軸とにより表現される株価チャートを表示させるステップと、
株の売買が成立した注文を第１図形によって前記株価チャート上に表示させるステップと、
株の売買が未成立の注文を前記第１図形とは異なる形状の第２図形によって前記株価チャート上に表示させるステップと、
を備えていることを特徴とする株価チャート表示プログラム。
【請求項４】
前記第１図形の位置は株の売買時刻及び売買価格により決定され、前記第１図形のサイズは株の売買成立の量に応じて決定され、前記第１図形の色は株の売買形式により決定され、
前記第２図形の前記価格軸に沿った位置は株の注文価格により決定され、前記第２図形の前記時刻軸に沿った長さは株の注文受付時刻から売買が未成立のままキャンセルされずに有効に存在している時間により決定され、前記第２図形の色は株の注文形式により決定され、前記第２図形の透明度は株の注文量により決定される請求項３に記載の株価チャート表示プログラム。
【発明の詳細な説明】
【技術分野】
【０００１】
本発明は、グラフィカルユーザーインターフェースによる株価チャート表示システム及び株価チャート表示プログラムに関するものである。
【背景技術】
【０００２】
一般に、株式の売買取引において株価チャートが広く使用されており、従来の株価チャートは、縦軸に売買株価、横軸に時間（時刻、日、週、月）を設定し、売買された株価の推移を示したものである（例えば非特許文献１参照）。
【非特許文献１】Ｅトレード証券株式会社ウェブサイト                    ＜ＵＲＬ：https://newtrading.etrade.ne.jp/ETGate/＞
【発明の開示】
【発明が解決しようとする課題】
【０００３】
しかしながら、上記した従来の株価チャートでは、株が売買されるまで株価チャートに売買価格等の情報が反映されないため、トレーダーやファンドマネージャーや投資家は株価チャートから株の売買について十分な情報を迅速且つ確実に得ることが困難であった。
【０００４】
また、一般に、トレーダーやファンドマネージャーは、売買管理システム（ＥＭＳ）や注文管理システム（ＯＭＳ）を利用して表計算や行列のスプレッドシート形式でアルゴリズムを動作を監視しながら株の売買を行っているが、従来のＥＭＳやＯＭＳでは、例えば、アルゴリズムが１時間前に実行した内容等、アルゴリズムの過去の動作を監視するためには、スプレッドシートを掘り下げる必要があるため、時間が非常に掛かるといった問題があった。
【０００５】
本発明は、上記した課題を解決すべくなされたものであり、トレーダーやファンドマネージャーや投資家が株の売買についての十分な情報を迅速且つ確実に得ることのできる、グラフィカルユーザーインターフェースによる株価チャート表示システム及び株価チャート表示プログラムを提供することを目的とするものである。
【課題を解決するための手段】
【０００６】
上記した目的を達成するため、本発明は、グラフィカルユーザーインターフェースによる株価チャート表示システムであって、株の価格軸と時刻軸とにより表現される株価チャートを表示させるための株価チャート表示手段と、売買が成立した注文を第１図形によって前記株価チャート上に表示させるための第１図形表示手段と、売買が未成立の注文を前記第１図形とは異なる形状の第２図形によって前記株価チャート上に表示させるための第２図形表示手段とを備えていることを特徴とする。
【０００７】
そして、前記第１図形表示手段は、株の売買時刻及び売買価格により前記第１図形の位置を決定し、株の売買成立の量に応じて前記第１図形のサイズを決定し、株の売買形式により前記第１図形の色を決定し、前記第２図形表示手段は、株の注文価格により前記第２図形の前記価格軸に沿った位置を決定し、株の注文受付時刻から売買が未成立のままキャンセルされずに有効に存在している時間により前記第２図形の前記時刻軸に沿った長さを決定し、株の注文形式により前記第２図形の色を決定し、株の注文量により前記第２図形の透明度を決定するのが好ましい。
【０００８】
また、本発明は、グラフィカルユーザーインターフェースによる株価チャート表示プログラムであって、株の価格軸と時刻軸とにより表現される株価チャートを表示させるステップと、株の売買が成立した注文を第１図形によって前記株価チャート上に表示させるステップと、株の売買が未成立の注文を前記第１図形とは異なる形状の第２図形によって前記株価チャート上に表示するステップとを備えていることを特徴とする。
【０００９】
そして、前記第１図形の位置は株の売買時刻及び売買価格により決定され、前記第１図形のサイズは株の売買成立の量に応じて決定され、前記第１図形の色は株の売買形式により決定され、前記第２図形の前記価格軸に沿った位置は株の注文価格により決定され、前記第２図形の前記時刻軸に沿った長さは株の注文受付時刻から売買が未成立のままキャンセルされずに有効に存在している時間により決定され、前記第２図形の色は株の注文形式により決定され、前記第２図形の透明度は株の注文量により決定されるのが好ましい。
【発明の効果】
【００１０】
本発明によれば、トレーダーや投資家はグラフィカルユーザーインターフェースにより株の売買についての十分な情報を迅速且つ確実に得ることができる。
【発明を実施するための最良の形態】
【００１１】
以下、図面を参照しつつ、本発明の実施の形態について説明する。
【００１２】
図１は、本発明の実施の形態に係る株価チャート表示システムのアルゴリズム１０を含む全体システムの取り引きの流れを示しており、この全体システムは、公共取引所で株取引を行う証券会社や資産管理会社により使用される。
【００１３】
通常、この株価チャート表示システムのアルゴリズム１０へのアクセスは、売買管理システム（ＥＭＳ）１１又は注文管理システム（ＯＭＳ）１２からなされる。トレーダーは第三者のソフトウェアベンダーにより提供されるＥＭＳ１１又はＯＭＳ１２から株価チャート表示システムのアルゴリズム１０にアクセス可能である。ＯＭＳ１２は、株式ポートフォリオ、取引の注文等についての情報を追跡及び保持するため資産管理者により長年の間使用されており、株取り引きのための基本データを格納すると共に保持するための「バックエンド」（例えば、データベース）と、注文形式のデータを入力すると共に表示するための「フロントエンド」（すなわち、ユーザーインターフェース）とを含んでいる。
【００１４】
本発明の実施の形態に係る株価チャート表示システムのアルゴリズム１０は、このＥＭＳ１１又はＯＭＳ１２のディスプレイ上に株の価格軸と時刻軸とにより表現される株価チャートを表示させるための株価チャート表示手段と、売買が成立した注文を第１図形（本実施の形態では、円形）によって前記株価チャート上に表示させるための第１図形表示手段と、売買が未成立の注文を前記第１図形とは異なる形状の第２図形（本実施の形態では、矩形）によって前記株価チャート上に表示させるための第２図形表示手段とを備えている。そして、この株価チャート表示システムのアルゴリズム１０は、取引所１４に接続されたコンピュータにインストールされた本発明の実施の形態に係る株価チャート表示プログラムに従って一連の命令を実行することにより、売買管理システム（ＥＭＳ）１１又は注文管理システム（ＯＭＳ）１２に対して、グラフィカルユーザーインターフェースによりリアルタイムで株価チャートを表示させるようになっている。
【００１５】
前記第１図形表示手段は、株の売買時刻及び売買価格により前記第１図形の位置を決定し、株の売買成立の量に応じて前記第１図形のサイズを決定し、株の売買形式により前記第１図形の色を決定し、前記第２図形表示手段は、株の注文価格により前記第２図形の前記価格軸に沿った位置を決定し、株の注文受付時刻から売買が未成立のままキャンセルされずに有効に存在している時間により前記第２図形の前記時刻軸に沿った長さを決定し、株の注文形式により前記第２図形の色を決定し、株の注文量により前記第２図形の透明度を決定する。
【００１６】
ＯＭＳ１２又はＥＭＳ１１は、資産管理会社を証券会社に接続するため金融情報取引（ＦＩＸ）プロトコル１３と呼ばれるネットワークメッセージプロトコルを使用し、証券会社の株価チャート表示システムのアルゴリズム１０に注文を送ることができるようになっている。また、この場合、資産管理会社は、電話や電子メールにより証券会社の販売トレーダーに注文をしたり、或いは直接市場アクセス（ＤＭＡ）１４として公知な証券会社により提供されるシステムを利用して取引所１５と直接取引を行ったりすることもできるようになっている。
【００１７】
図２に示すように、株価チャート表示システムのアルゴリズム１０に送られる注文は「親注文」と呼ばれる。一旦、親注文が株価チャート表示システムのアルゴリズム１０によって受け付けられると、「子注文」と呼ばれるより小サイズの注文に分割され、その後、主要な取引所に送られ、売買される。親注文と子注文との間の一般的な関係は、「１対多数」である。
【００１８】
株価チャート表示システムのアルゴリズム１０は、取引所１５に送られる各子注文の量、各子注文の時刻、子注文の総数及び各子注文の形式を独立して決定する。取引所に送られる子注文は、直ぐに売買されるか、或いは、注文された価格で売買されるのを待つ注文予約のキューに加えられるかのいずれかである。これらの注文は、株価チャート表示システムのアルゴリズム１０によって、ある時間後に売買されるか或いは所定時間後にキャンセルされる。
【００１９】
図３は株価チャートの一例を示しており、この株価チャートは、最良買い呼値と最良売り呼値を二次元的に表現している。この株価チャートの縦軸は市場で株を取得可能な価格の範囲を表わし、横軸は時刻を表わし、内部のチャート領域は、売り手側領域（上半分）、買い呼値と売り呼値のスプレッド領域、買い手側領域（下半分）の３つの領域から構成されている。ここで、最良売り呼値とは、売り手側と、買い呼値と売り呼値のスプレッドとの境界であり、株式の売り手が株式の売りに同意する最低値を示している。また、最良買い呼値とは、買い手側と、買い呼値と売り呼値のスプレッドとの境界であり、株式の買い手が株式の買いに同意する最高値を示している。
【００２０】
株価チャート表示システムのアルゴリズム１０は、子注文の売買成立を株価チャートにおいて円形で表示する。子注文の売買は、価格、時間、量、及び形式の４つの重要な特性を有しており、これらの特性は円形の異なる特性ですべて表わされる。すなわち、図４のように、円形の価格軸に沿った垂直位置は売買価格を示し、円形の時刻軸に沿った水平位置は売買時刻を示し、円形の領域（又はサイズ）は売買量を示し、円形の色は売買形式を示している。売買形式には、最良買い呼値での売買、最良売り呼値での売買、競り取引による売買、市場外での売買がある。
【００２１】
図５に示されているように、本実施の形態では、最良買い呼値での売買は売り手側と同じ色（緑色）で彩色され、最良売り呼値での売買は買い手側と同じ色（赤色）で彩色されている。また、競り取引の売買は、取引時間の開始時又は終了時に発生する売買（例えば、板寄）であり、最良買い呼値での売買や最良売り呼値での売買とは異なる色（黄色）で彩色されている。さらに、市場外での売買は、すべての他の売買形式とは異なる色（白色）で彩色された円形により表わされている。市場外での売買は買い呼値と売り呼値のスプレッド内に入ることができ、図５では、これらの売買は白色で表わされている。
【００２２】
図５において、１つの黄色の円形は３，１１０円の値での１つの競り取引を示し、１つの赤色の円形は３，１２０円の値で市場において買い手が行った１つの売買を示し、４つの緑色の円形は３，１１０円の値で市場において売り手が行った４つの売買を示し、３つの白色の円形は３，１１５円、３，１１５円及び３，１１８円の値での市場外における３つの売買を示している。
【００２３】
図６に示されているように、売買が未成立の子注文は矩形で表示され、この注文は、価格、開始及び終了時間、量、及び形式の４つの重要な特性を有している。
【００２４】
矩形が売り手側内にある時、矩形は売りの子注文を表わし、売りの子注文の場合、矩形の下側が売値となり、図６の子注文Ａの場合、売り値は３，４９０円となる。また、矩形が買い手側内にある時、矩形は買いの子注文を表わしており、買いの子注文の場合、子注文の上側が買い値となり、図６の子注文Ｃの場合、買い値の子注文を表わしている。
【００２５】
矩形の時刻軸に沿った長さは子注文の期間を表わしており、この期間は、キャンセルされることなく或いは完全に売買されることなく、子注文が市場に有効のまま残っている時間である。図６の例では、子注文の期間は１５分間である。
【００２６】
矩形の色は子注文の形式を表わしている。子注文の形式は株式市場の取引所によって変わり、例えば、開放市場、閉鎖市場、指値注文、世界中のほとんどの取引所によりサポートされる市場注文のような幾つかの注文形式がある。
【００２７】
図６〜図８に示されているように、矩形の色は、開放市場又は閉鎖市場の場合、黄色で示され、開放市場での指値又は閉鎖市場での指値の場合、オレンジ色で示される。また、連続立会の間の指値注文は、注文が売買されているかどうかによりそれぞれ青色又はピンク色のいずれかの色で示される。そして、少なくとも一部分が売買された連続立会の間の市場注文は、青色で示される。
【００２８】
矩形の透明度は株の注文量を表わしている。株価チャート表示システムのアルゴリズム１０が矩形の透明度を決定するために、次の２つの尺度が使用される。すなわち、
（１）元の親注文の量に対して大きな割合を占める子注文はより明るい（又はより均一な）色で表わされる。
（２）公共取引所の通常の株の量に対して大きな割合を占める子注文はより明るい（又はより均一な）色で表わされる。
【００２９】
例えば、図６において、子注文Ａのピンク色が子注文Ｂのピンク色より明るいことにより、子注文Ａの注文量は子注文Ｂより大きいことが分かる。
【００３０】
なお、上記した実施の形態では、第１図形を円形とし、第２図形を矩形とし、第１図形及び第２図形にそれぞれ異なる特定の色を彩色しているが、これらは単なる例示に過ぎず、図形の形状や色については各種変更が可能であることは言う迄もない。
【図面の簡単な説明】
【００３１】
【図１】本発明の実施の形態に係る株価チャート表示システムのアルゴリズムを含む全体システムの取り引きの流れを示すブロック図である。
【図２】本発明の実施の形態に係る株価チャート表示システムのアルゴリズムにおいて親注文と子注文の関係を示す概念図である。
【図３】本発明の実施の形態に係る株価チャート表示システムのアルゴリズムで表示する株価チャートの一例を示す図である。
【図４】本発明の実施の形態に係る株価チャート表示システムのアルゴリズムで表示する株価チャートの一部を拡大して示す図である。
【図５】本発明の実施の形態に係る株価チャート表示システムのアルゴリズムで表示する株価チャートの一例を示す図である。
【図６】本発明の実施の形態に係る株価チャート表示システムのアルゴリズムにおける子注文の一例を示す図である。
【図７】本発明の実施の形態に係る株価チャート表示システムのアルゴリズムで表示する株価チャートの一例を示す図である。
【図８】本発明の実施の形態に係る株価チャート表示システムのアルゴリズムで表示する株価チャートの一例を示す図である。
【符号の説明】
【００３２】
１０          株価チャート表示システムのアルゴリズム
【図１】
2010020360.tif 000003
【図２】
2010020360.tif 000004
【図３】
2010020360.tif 000005
【図４】
2010020360.tif 000006
【図５】
2010020360.tif 000007
【図６】
2010020360.tif 000008
【図７】
2010020360.tif 000009
【図８】
2010020360.tif 000010